(57)【要約】【課題】人体に対する紫外線の影響を少なくして保護することができる照明器具及びビニルハウスを提供する。【解決手段】照明器具１０及びビニルハウス３０は、直管状の紫外線ランプ１６と、紫外線ランプ１６に沿って設けられ、その両側が開口する反射板１３と、反射板１３の外側で、かつ反射板１３よりも上方に設けられる人感センサー１７と、を備えた。【選択図】図１
2010165469.tif 000002
【特許請求の範囲】
【請求項１】
直管状の紫外線ランプと、
前記紫外線ランプに沿って設けられ、その両側が開口する反射板と、
前記反射板の外側で、かつ前記反射板よりも上方に設けられる人感センサーと、
を備えたことを特徴とする照明器具。
【請求項２】
請求項１記載の照明器具の前記人感センサーが入ロ側に位置するように照明器具を配設したことを特徴とするビニルハウス。
【発明の詳細な説明】
【技術分野】
【０００１】
本発明は、紫外線ランプを使用した照明器具及び照明器具を利用したビニルハウスに関する。
【背景技術】
【０００２】
農作物の育成手段として、ビニルハウスなどといった、外郭部材で覆われた育成地を利用する場合がある。このような育成地に限らないが、従来、農作物の育成において、うどんこ病、ベト病、炭そ病などの病害菌に対する防除手取として農薬で対応してきた。
【０００３】
しかし、人体への影響や無農薬という社会的ニーズの高まりから、生産者としては農薬の使用は極力避けたいのが実情である。これらのうどんこ病や炭そ病などの糸状菌は紫外線に対する依存性が高く、紫外線を適切な放射量で照射することにより、これらの病害菌を効果的に低減できることが分かっている。
【０００４】
そこで、紫外線を含む光を放射する光源を備えた照明器具が提案されている（例えば特許文献１参照）。
【０００５】
上記特許文献１によれば、紫外線により、農作物の病害抵抗性を誘導することができる。
したがって、農作物に対して紫外線を放射することにより病害に犯されず収穫量の増加が期待できる。
【先行技術文献】
【特許文献】
【０００６】
【特許文献１】特開２００５−３２８７３４号公報（図１、請求項１）
【発明の概要】
【発明が解決しようとする課題】
【０００７】
ここで、光源の光に含まれる紫外線とは、光（電磁波）の一種であり、波長３８０nm以下である。
（１）皮膚への影響：日焼け（サンバーン）やしみ・そばかすの誘因となる。
（２）目への影響：白内障や雪目の誘因となる。
（３）免疫への影響：長時間の紫外線を浴びると免疫の低下の誘因となる。
【０００８】
このように、紫外線を有する光源を使用する農家等の人にとって、紫外線の過度の被曝は健康面において好ましくない。
【０００９】
本発明は、前述した課題を解決するためになされたものであり、その目的は、人体に対する紫外線の影響を少なくして保護することができる照明器具及びビニルハウスを提供することにある。
【課題を解決するための手段】
【００１０】
本発明に係る照明器具は、直管状の紫外線ランプと、前記紫外線ランプに沿って設けられ、その両側が開口する反射板と、前記反射板の外側で、かつ前記反射板よりも上方に設けられる人感センサーと、を備えたことを特徴とする。
【００１１】
本発明においては、人感センサーは両側が開口する反射板の外側の上方に設けられている。
これにより、人感センサーの検知部の表面がプラスチックで製作されていたとしても、紫外線ランプからの紫外線の照射を受けることがない。
従って、紫外線の照射による劣化を生ずることなく安定したセンシングを行うことができる。
【００１２】
本発明においては、人感センサーは人が近づいてきたときに電気信号を発生する。
これにより、人が照明器具に近づいてきたら紫外線ランプを自動的に消灯する。
従って、紫外線を人に照射しないようにして人体に対する紫外線の影響を少なくして保護することができる。
【００１３】
本発明に係るビニルハウスは、上記照明器具の前記人感センサーが入ロ側に位置するように照明器具を配設したことを特徴とする。
【００１４】
本発明においては、農家等を含む人がビニルハウスの入口に近づいてきたときに、人感センサーは電気信号を発生して紫外線ランプを消灯させる。
これにより、人が殆ど被曝せずに紫外線ランプを自動的に消灯させる。
従って、人体に対する紫外線の影響を少なくして保護することができる。
【発明の効果】
【００１５】
本発明の照明器具及びビニルハウスによれば、直管状の紫外線ランプと、紫外線ランプに沿って設けられ、その両側が開口する反射板と、反射板の外側で、かつ反射板よりも上方に設けられる人感センサーと、を備えた。
これにより、人体に対する紫外線の影響を少なくして保護することができるという効果を有する。
【図面の簡単な説明】
【００１６】
【図１】本発明に係る一実施形態の照明器具の側面から視た垂直断面図
【図２】図１に示した照明器具の正面図
【図３】本発明に係る一実施形態のビニルハウスの一部破断外観斜視図
【図４】図３に示したビニルハウスの出入口側の垂直断面図
【発明を実施するための形態】
【００１７】
以下、本発明の実施形態に係る照明器具及びビニルハウスについて、図面を参照して説明する。
【００１８】
図１に示すように、本発明の一実施形態である照明器具１０は、本体ケース１１と、点灯装置１２と、反射板１３と、一対のソケット１４と、同じく一対のソケット台１５と、直管ランプである紫外線ランプ１６と、人感センサー１７と、を備える。
【００１９】
本体ケース１１の内部には、紫外線ランプ１６を点灯するための点灯装置１２を固定している。
【００２０】
本体ケース１１の長手方向の両端にはソケット１４を取り付けるためのソケット台１５が固定されており、ソケット１４に紫外線ランプ１６を着脱自在に装着している。
【００２１】
人感センサー１７は、例えば赤外線等を利用して感知エリア内において周囲温度と温度差のあるものを検知して電気信号を発生する赤外線センサーである。人感センサー１７は本体ケース１１の側部に固定されている。人感センサー１７は、その感度が一定ではなく、使用環境に応じて調節可能である。
【００２２】
図２に示すように、本体ケース１１は開口部分を有し、開口部分を閉塞するように反射板１３を取付けている。反射板１３は紫外線ランプ１６からの紫外線の照射エリアを大きくするために両端を開口している。
【００２３】
反射板１３の形状は、紫外線ランプ１６の断面方向の形状に関しては本体側面部分について紫外線ランプ１６の中心を焦点としたパラボラ形状であり、紫外線ランプ１６の上方方向は直線形状としている。
【００２４】
反射板１３をこのような形状にすることにより、紫外線ランプ１６の断面方向の紫外線照射方向を、器具直下を０°として約６０°方向にピークをもつ紫外線照射形状を得ることができる。
【００２５】
人感センサー１７は紫外線ランプ１６からの紫外線の照射を受けない反射板１３の外側であって、その上方に取り付けられている。その理由は、一般的に人感センサーの検知部の表面はプラスチックで製作されており、プラスチック製の検知部が紫外線により黄変など著しく劣化した際に機能を満足できなくなる虞があるからである。
よって、人感センサー１７の検知部の表面がプラスチックで製作されていたとしても、紫外線ランプ１６からの紫外線の照射を受けることがない。
【００２６】
このような照明器具１０は例えば建築物の天井等や後述するビニルハウスの天部に取り付けられて、不図示の電源スイッチのオンにより紫外線ランプ１６を点灯させる。人感センサー１７は紫外線ランプ１６の点灯時に人が近づいてきたときに電気信号を発生する。
そして、照明器具１０は人が近づいてきたことにより紫外線ランプ１６を自動的に消灯する。
【００２７】
次に、上述した照明器具１０を適用したビニルハウス３０について説明する。
【００２８】
図３に示すように、ビニルハウス３０は、支柱、垂木、横梁、棟木、土台梁等のパイプ部材を組み合わせて組み立てられたハウス骨格３１にビニル製の被覆部材３２を被せて形成されている。
【００２９】
ビニルハウス３０は例えばイチゴ等の農作物１を栽培する場合、直径７ｍ程度の略半円形断面形状に形成されており、全長が５０〜１００ｍである。ビニルハウス３０では、ほぼ直線状に６畝程度の作付けを行う。
【００３０】
ビニルハウス３０は両側面３３に出入口３４をそれぞれ有する。ビニルハウス３０には人感センサー１７を備えた照明器具１０と人感センサーを備えていない照明器具２０とを用いる。なお、出入口３４の構造材は人感センサー１７からの赤外線を透過可能な樹脂製が好ましい。
【００３１】
ビニルハウス３０は直線状に作付けされた畝に平行に紫外線ランプ１６の長手方向を配置するように複数の照明器具１０，２０をその天部３５の内面に間隔を置いて配設している。
直線状に作付けされた畝に平行に複数の照明器具１０，２０を配設することにより、器具台数が最も少なく済み、かつ、複数の畝に均一な放射照度を得ることができる。
【００３２】
図４に示すように、ビニルハウス３０は出入口３４側に人感センサー１７を配置した照明器具１０を取り付けている。人感センサー１７は出入口３４に向けて感知エリアＡを有する。
【００３３】
人感センサーを備えていない照明器具２０に有する点灯装置は人感センサー１７を備えた照明器具１０の点灯装置１２に直列に接続されており、照明器具１０，２０は日射センサー等を備えた不図示の電源回路に接続されて用いられる。
【００３４】
そこで、電源回路の駆動により照明器具１０，２０の紫外線ランプ１６が点灯している際に、外部から農家等を含む人がビニルハウス３０の出入口３４に近づいてくる。やがて、その人が人感センサー１７の感知エリアＡ内に侵入する。
【００３５】
すると、人感センサー１７は電気信号を発生して照明器具１０の点灯装置１２を通じて紫外線ランプ１６を消灯させ、他の照明器具２０の紫外線ランプも消灯させる。
これにより、ビニルハウス３０は人が内部に入ってしまう前に照明器具１０，２０の紫外線ランプ１６を自動的に消灯させることができる。
【００３６】
本実施形態の照明器具１０では、人感センサー１７は両側が開口する反射板１３の外側の上方に設けられている。
これにより、人感センサー１７の検知部の表面がプラスチックで製作されていたとしても、紫外線ランプ１６からの紫外線の照射を受けることがない。
従って、紫外線の照射による劣化を生ずることなく安定したセンシングを行うことができる。
【００３７】
本実施形態の照明器具１０では、人感センサー１７は人が近づいてきたときに電気信号を発生する。
これにより、人が照明器具１０に近づいてきたら紫外線ランプ１６を自動的に消灯する。
従って、紫外線を人に照射しないようにして人体に対する紫外線の影響を少なくして保護することができる。
【００３８】
本実施形態のビニルハウス３０では、農家等を含む人がビニルハウス３０の出入口３４に近づいてきたときに、人感センサー１７は電気信号を発生して紫外線ランプ１６を消灯させる。
これにより、人がビニルハウス３０に入ってしまう前に紫外線ランプ１６を自動的に消灯させる。
従って、紫外線を人に照射しないようにして人体に対する紫外線の影響を少なくして保護することができる。
【００３９】
なお、前記各実施形態で使用した点灯装置１２、反射板１３、ソケット１４、ソケット台１５、紫外線ランプ１６等は例示したものに限定するものではなく適宜変更が可能である。
【符号の説明】
【００４０】
１０  照明器具
１３  反射板
１６  紫外線ランプ
１７  人感センサー
２０  照明器具
３０  ビニルハウス
３４  出入口（入口）
【図１】
2010165469.tif 000003
【図２】
2010165469.tif 000004
【図３】
2010165469.tif 000005
【図４】
2010165469.tif 000006